(57)【要約】      （修正有）【課題】真空吸引を利用する既知のトイレシステムと比較したときに、低い騒音レベルで動作し、低減された重量及び複雑さを有し、排泄物容器から排泄物を流すときに、液体洗剤の使用を必要とせず、排泄物を、堆肥や肥料で使用されることを可能にする。【解決手段】トイレシステム１００は、出口１０６を通過して排泄物を導くように構成された出口１０６を備えた排泄物容器１０２、及び、入口１１２及び少なくとも１つの出口を備えたハウジング１０８を含むコンベヤアセンブリ１０４を含み、入口１１２は、排泄物容器１０２の出口１０６と流体連通するように連結されている。コンベヤアセンブリ１０４は、ハウジング１０８内に配置された搬送機構１１０も含み、搬送機構１１０は、入口１１２からハウジング１０８の少なくとも１つの出口に向けて排泄物を能動的に搬送するように動作可能である。【選択図】図３
2017213349.tif 000002
【特許請求の範囲】
【請求項１】
トイレシステム（１００）であって、
出口（１０６）を通して排泄物を導くように構成された前記出口（１０６）を備えた排泄物容器（１０２）、及び
コンベヤアセンブリ（１０４）を備え、前記コンベヤアセンブリ（１０４）が、
入口（１１２）と少なくとも１つの出口を備えたハウジング（１０８）であって、前記入口（１１２）が、前記排泄物容器（１０２）の前記出口（１０６）と流体連通するように連結された、ハウジング（１０８）、及び
前記ハウジング（１０８）内に配置された搬送機構（１１０）であって、前記ハウジング（１０８）の前記入口（１１２）から前記少なくとも１つの出口に向けて、前記排泄物を能動的に搬送するように動作可能である、搬送機構（１１０）を備える、トイレシステム（１００）。
【請求項２】
前記排泄物容器（１０２）の前記出口（１０６）と前記ハウジング（１０８）の前記入口（１１２）が、上下に整列するように配置されている、請求項１に記載のシステム（１００）。
【請求項３】
前記少なくとも１つの出口が、固体の排泄物の出口（１２８）と液体の排泄物の出口（１３０）を備え、前記固体の排泄物の出口（１２８）が、前記搬送機構（１１０）によって搬送された固体の排泄物を受容するように配置され、前記液体の排泄物の出口（１３０）が、前記固体の排泄物から分離された液体の排泄物を受容するように配置されている、請求項１又は２に記載のシステム（１００）。
【請求項４】
前記固体の排泄物の出口（１２８）と流体連通するように連結された固体の貯蔵容器（１２４）、及び
前記液体の排泄物の出口（１３０）と流体連通するように連結された液体の貯蔵容器（１２６）を更に備える、請求項３に記載のシステム（１００）。
【請求項５】
前記排泄物容器（１０２）と流体連通するように連結された吸引装置（１３６）であって、平方インチ当たり約５ポンド未満の負圧を前記排泄物容器（１０２）内に生成するように構成された、吸引装置（１３６）を更に備える、請求項１から４のいずれか一項に記載のシステム（１００）。
【請求項６】
前記搬送機構（１１０）が、
ウォームスクリュー装置（１１６）、及び
前記ウォームスクリュー装置（１１６）に連結されたモータ（１１８）であって、前記排泄物が前記ハウジング（１０８）の前記少なくとも１つの出口に向けて漸進的に搬送されるように、前記ウォームスクリュー装置（１１６）を回転させるように構成された、モータ（１１８）を備える、請求項１から５のいずれか一項に記載のシステム（１００）。
【請求項７】
前記モータ（１１８）と通信するように接続されたユーザインターフェース（２６）であって、前記モータ（１１８）が、前記ユーザインターフェース（２６）における作動により選択的に起動される、ユーザインターフェース（２６）を更に備える、請求項６に記載のシステム（１００）。
【請求項８】
航空機（１０）であって、
トイレシステム（１００）を備え、前記トイレシステム（１００）が、
出口（１０６）を通して排泄物を導くように構成された前記出口（１０６）を備えた排泄物容器（１０２）、並びに
コンベヤアセンブリ（１０４）を備え、前記コンベヤアセンブリ（１０４）が、
入口（１１２）と少なくとも１つの出口を備えたハウジング（１０８）であって、前記入口（１１２）が、前記排泄物容器（１０２）の前記出口（１０６）と流体連通するように連結された、ハウジング（１０８）、及び
前記ハウジング（１０８）内に配置された搬送機構（１１０）であって、前記ハウジング（１０８）の前記入口（１１２）から前記少なくとも１つの出口に向けて、前記排泄物を能動的に搬送するように動作可能である、搬送機構（１１０）を備える、航空機（１０）。
【請求項９】
前記少なくとも１つの出口が、固体の排泄物の出口（１２８）と液体の排泄物の出口（１３０）を備え、前記固体の排泄物の出口（１２８）が、前記搬送機構（１１０）によって搬送された固体の排泄物を受容するように配置され、前記液体の排泄物の出口（１３０）が、前記固体の排泄物から分離された液体の排泄物を受容するように配置されている、請求項８に記載の航空機（１０）。
【請求項１０】
前記排泄物容器（１０２）の前記出口（１０６）が、前記航空機（１０）の外側の周囲環境と選択的に流体連通するように連結されていない、請求項８又は９に記載の航空機（１０）。
【発明の詳細な説明】
【技術分野】
【０００１】
本開示の分野は、広くは、排泄物搬送機構に関し、特に、航空機の洗面所と共に使用されるための簡略化された効率的なトイレシステムに関する。
【背景技術】
【０００２】
現代の航空機の洗面所は、通常、トイレ容器とシンクを含む、単一の小さいユニットである。一旦、トイレ容器が使用されると、多くの既知の航空機の洗面所は、トイレ容器から排泄物を流すための真空システムを含む。より具体的には、飛行中においてトイレ容器から排泄物を流すために、真空システムが、圧縮された航空機の客室と航空機の外側の周囲環境との間の圧力差を利用する。飛行中でなければ、又は圧力差が所定の閾値未満のときは、トイレ容器から排泄物を流すために、強力な吸引装置が使用されなければならない。そのようにして、真空システムは、騒々しく面倒なものであり、概して配管及び導管の複雑なネットワークを必要とする。更に、真空システムを用いてトイレ容器から排泄物を流すときに、通常、液体洗剤もトイレ容器内で使用され得る。液体洗剤を貯蔵し搬送することは、貴重な貯蔵空間を低減させ、航空機に重量を追加し、それによって、航空機の燃料効率を低減させる。更に、液体洗剤貯蔵システムは、漏れが生じ、凍った液体洗剤が、空から下方へ予期せぬ人々、建物、及び物体へ落ちることをもたらすことが知られている。
【発明の概要】
【０００３】
一態様では、トイレシステムが提供される。トイレシステムは、出口を通して排泄物を導くように構成された出口を含む排泄物容器を含む。システムは、入口及び少なくとも１つの出口を含むハウジングを含むコンベヤアセンブリも含む。その入口は、排泄物容器の出口と流体連通するように連結されている。コンベヤアセンブリは、ハウジング内に配置された搬送機構も含み、搬送機構は、入口から前記ハウジングの少なくとも１つの出口に向けて排泄物を能動的に搬送するように動作可能である。
【０００４】
別の一態様において、航空機が提供される。航空機は、トイレシステムを含む。トイレシステムは、出口を通して排泄物を導くように構成された出口を含む排泄物容器を含む。システムは、入口及び少なくとも１つの出口を含むハウジングを含むコンベヤアセンブリも含む。その入口は、排泄物容器の出口と流体連通するように連結されている。コンベヤアセンブリは、ハウジング内に配置された搬送機構も含み、搬送機構は、入口から前記ハウジングの少なくとも１つの出口に向けて排泄物を能動的に搬送するように動作可能である。
【０００５】
更に別の一態様では、航空機で使用されるためのトイレシステムを組み立てる方法が提供される。該方法は、ハウジングの入口を排泄物容器の出口と流体連通するように連結させることを含む。出口は、出口を通して排泄物を導くように構成されている。該方法は、ハウジング内に搬送機構を配置することも含み、搬送機構は、入口からハウジングの少なくとも１つの出口に向けて排泄物を能動的に搬送するように動作可能である。
【図面の簡単な説明】
【０００６】
【図１】例示的な航空機の概略図である。
【図２】図１で示された航空機内で使用され得る例示的な洗面所の図である。
【図３】図２で示された洗面所と共に使用され得る例示的なトイレシステムの概略図である。
【発明を実施するための形態】
【０００７】
本明細書で説明される実施態様は、例えば、航空機の洗面所と共に使用されるための、簡略化された独立型のエネルギー効率が高いトイレシステムに関する。本明細書で説明されるトイレシステムは、排泄物容器（すなわち、便器）、及び排泄物容器に連結されたコンベヤアセンブリを含む。コンベヤアセンブリは、真空システムを使用することなしに、排泄物容器から１以上の貯蔵容器に向けて排泄物を搬送することができる。より具体的には、コンベヤアセンブリが、排泄物容器から直接的に排泄物を受容するハウジング、及びハウジング内に配置された搬送機構を含む。搬送機構は、平方インチ当たり約１０ポンド（ｐｓｉ）までの真空圧を引き起こすシステムによるよりもむしろ、機械的装置を介して１以上の貯蔵容器に向けて排泄物を能動的に搬送する。そのようにして、本明細書で説明されるトイレシステムは、真空吸引を利用する既知のトイレシステムと比較したときに、低い騒音レベルで動作し、低減された重量及び複雑さを有する。更に、本明細書で説明されるトイレシステムは、排泄物容器から排泄物を流すときに、液体洗剤の使用を必要としない。そのようにして、排泄物は、固体と液体の構成要素に分離されることができ、それは、固体の構成要素が、堆肥や肥料で使用されることを可能にする。
【０００８】
本書で使用される際に、単数で記載され、「一」または「１つの」という言葉に後続する要素又はステップは、要素又はステップの複数形を除外することが明示的に記述されない限り、かかる除外は行われない。更に、本開示の「例示的な実施態様」又は「一実施態様」への言及は、やはり記載されている特徴を内包する更なる実施態様の存在を除外すると解釈されることを意図しない。
【０００９】
図面を参照すると、本開示の実施態様が、図１で概略的に示されている航空機１０の文脈で説明され得る。航空機１０は、胴体１４から延伸する少なくとも１つの翼１２を含む。航空機１０は、航空機１０の前方及び後方セクション内に配置された、少なくとも１つの洗面所１６も含む。航空機１０で示される複数の構造体は、例示的な目的のためにのみ示され、航空機１０は多数の他の構造体を更に含むことが理解されるべきである。更に、航空宇宙産業の例を示したが、本開示の原理は、船舶の構造体又は自動車の構造体などの他の構造体にも適用され得ることが理解されるべきである。
【００１０】
図２は、（図１で示される）航空機１０で使用され得る例示的な洗面所１６の図であり、図３は、洗面所１６と共に使用され得る例示的なトイレシステムの概略図である。図２を参照すると、洗面所１６は、側壁１８及び床２０によって少なくとも部分的に画定される。洗面所１６は、シンク２２、便器２４、及びユーザインターフェース２６も含む。以下でより詳細に説明されるように、ユーザインターフェース２６は、ユーザが、便器２４を選択的に起動させ、便器２４から排泄物を除去することを可能にする。
【００１１】
図３を参照すると、トイレシステム１００は、（図２で示された）便器２４の排泄物容器１０２、及びコンベヤアセンブリ１０４を含む。排泄物容器１０２は、出口１０６を通して排泄物を導く出口１０６を含む。コンベヤアセンブリ１０４は、ハウジング１０８、及びハウジング１０８内に配置された搬送機構１１０を含む。ハウジング１０８は、以下でより詳細に説明されるように、入口１１２及び少なくとも１つの出口を含む。ハウジング１０８の入口１１２は、排泄物容器１０２からハウジング１０８へ排泄物が搬送可能なように、排泄物容器１０２の出口１０６と流体連通するように連結されている。より具体的には、排泄物容器１０２の出口１０６とハウジング１０８の入口１１２は、（図１で示された）航空機１０が直線的且つ水平に動作しているときに、上下に整列するように配置されている。そのようにして、アクティブな洗浄装置又は強力な真空吸引システムの使用なしに、排泄物は、排泄物容器１０２からハウジング１０８へ搬送可能である。より具体的には、排泄物容器１０２の出口１０６は、周囲環境と圧縮された洗面所１６との間の圧力差を介して排泄物容器１０２内に負圧を生成し得る、航空機の外側の周囲環境と選択的に流体連通するように連結されていない。一実施態様では、導管１１４が、排泄物容器１０２の出口１０６とハウジング１０８の入口１１２との間で延在する。
【００１２】
例示的な実施態様では、搬送機構１１０が、入口１１２で受容された排泄物を、入口１１２からハウジング１０８の少なくとも１つの出口に向けて、能動的に搬送するように動作可能である。搬送機構１１０は、１つの場所から別の１つの場所へ固体又は液体を機械的に搬送することができる任意の装置である。例えば、図３で示されるように、搬送機構１１０は、ウォームスクリュー装置１１６、及びウォームスクリュー装置１１６に連結されたモータ１１８を含む。ウォームスクリュー装置１１６は、ねじ山１２０、及び隣接するねじ山１２０内に排泄物を受容するための隣接するねじ山１２０の間で画定された空間１２２を含む。そのようにして、モータ１１８は、排泄物がハウジング１０８の少なくとも１つの出口に向けて漸進的に搬送されるように、ウォームスクリュー装置１１６を回転させる。別の適切な搬送機構は、移動ピストン装置を含むが、それに限定されるものではない。更に、モータ１１８は、電力、及び空気圧力（例えば、航空機１０のエンジンからの抽気）などの、任意の適切な動力源によって動力供給される。
【００１３】
動作では、モータ１１８が、所定の時間間隔で又は洗面所１６のユーザによって起動されたときにの何れかで、ウォームスクリュー装置１１６を動作させる。例えば、（図２で示されている）ユーザインターフェース２６は、モータ１１８と通信可能に接続され、モータ１１８は、ユーザインターフェース２６における作動により選択的に起動される。より具体的には、一実施態様において、ユーザインターフェース２６からモータ１１８を起動させることは、モータ１１８が、ウォームスクリュー装置１１６が固体の排泄物が固体の貯蔵容器１２４内に受容されること及び液体の排泄物が液体の貯蔵容器１２６内に受容されることを確実にする所定の回転数だけ回転することをもたらす所定の時間量だけ動作することをもたらす。
【００１４】
上述されたように、ハウジング１０８は、少なくとも１つの出口を含む。より具体的には、ハウジング１０８が、固体の排泄物の出口１２８と液体の排泄物の出口１３０を含む。固体の排泄物の出口１２８は、搬送機構１１０によって搬送された固体の排泄物を受容するように配置され、液体の排泄物の出口１３０は、固体の排泄物から分離された液体の排泄物を受容するように配置される。例えば、ウォームスクリュー装置１１６として具現化されたときに、搬送機構１１０は、排泄物を圧縮し、排泄物がハウジング１０８を通って漸進的に搬送される際に、液体の排泄物と固体の排泄物を分離させる。そのようにして、固体の排泄物は、ウォームスクリュー装置１１６にくっついたままであり、固体の排泄物の出口１２８は、ウォームスクリュー装置１１６の吐出端１３２において形成されている。更に、一実施態様において、ハウジング１０８は、液体の排泄物がハウジング１０８の下側端１３４に収集されるように、傾けられている。そのようにして、ハウジング１０８を傾けることは、重力が液体の排泄物をハウジング１０８から排出することを促進し、液体の排泄物の出口１３０は、収集された液体の排泄物を受容するように下側端１３４において形成されている。
【００１５】
トイレシステム１００は、固体の貯蔵容器１２４と液体の貯蔵容器１２６も含む。固体の貯蔵容器１２４は、固体の排泄物の出口１２８と流体連通するように連結され、液体の貯蔵容器１２６は、液体の排泄物の出口１３０と流体連通するように連結されている。固体の排泄物と液体の排泄物は、別々の容器内に貯蔵され、固体の排泄物が、将来、堆肥や肥料に容易に変換されることを可能にする。
【００１６】
例示的な実施態様では、トイレシステム１００が、排泄物容器１０２と流体連通するように連結された吸引装置１３６を更に含む。吸引装置１３６は、不快な匂いが洗面所１６の中へ流れることを抑止するように、排泄物容器１０２内に負圧を生成するように動作可能である。より具体的には、吸引装置１３６が、上述された既知の真空システムよりも、かなり低い負圧を排泄物容器１０２内に生成する。例えば、海面レベルでの大気圧が約１４．７ｐｓｉであり、約３０，０００フィートよりも高い高度で巡航しているときに、航空機１０の外側の周囲環境の圧力は約４．０ｐｓｉであり、それによって、１０．０ｐｓｉより大きい圧力差が規定される。そのようにして、一実施態様では、吸引装置１３６が、約１０ｐｓｉ未満の負圧を排泄物容器１０２内に生成する。より具体的には、吸引装置１３６が、約５ｐｓｉ未満の、更により具体的には、約１．０ｐｓｉ未満の負圧を、排泄物容器１０２内に生成する。
【００１７】
航空機１０内で使用されるためのトイレシステム１００を組み立てる方法も、本明細書で説明される。該方法は、ハウジング１０８の入口１１２を排泄物容器１０２の出口１０６と流体連通するように連結させること、及びハウジング１０８内に搬送機構１１０を配置することを含む。出口１０６は、出口１０６を通して排泄物を導くように構成され、搬送機構１１０は、ハウジング１０８の入口１１２から少なくとも１つの出口に向けて、排泄物を能動的に搬送するように動作可能である。
【００１８】
該方法は、排泄物容器１０２の出口１０６とハウジング１０８の入口１１２が、航空機１０が直線的且つ水平に動作しているときに、上下に整列するように配置されるように、ハウジング１０８と排泄物容器１０２を方向付けることも含む。更に、該方法は、固体の排泄物の出口１２８と液体の排泄物の出口１３０をハウジング１０８内に形成することを含む。固体の排泄物の出口１２８は、搬送機構１１０によって搬送された固体の排泄物を受容するように配置され、液体の排泄物の出口１３０は、固体の排泄物から分離された液体の排泄物を受容するように配置される。一実施態様では、該方法が、固体の貯蔵容器１２４を固体の排泄物の出口１２８と流体連通するように連結させること、及び液体の貯蔵容器１２６を液体の排泄物の出口１３０と流体連通するように連結させることを更に含む。
【００１９】
更に、一実施態様では、搬送機構１１０を配置することが、ウォームスクリュー装置１１６をハウジング１０８内に配置すること、及びモータ１１８をウォームスクリュー装置１１６に連結させることを含む。モータ１１８は、排泄物がハウジング１０８の少なくとも１つの出口に向けて漸進的に搬送されるように、ウォームスクリュー装置１１６を回転させるように構成される。
【００２０】
本開示による発明対象の例示的、非排他的な例が、以下の条項Ａ１からＣ２０に記載される。
Ａ１
本開示の一態様によれば、
トイレシステム（１００）であって、
出口（１０６）を通して排泄物を導くように構成された前記出口（１０６）を備えた排泄物容器（１０２）、及び
コンベヤアセンブリ（１０４）を備え、前記コンベヤアセンブリ（１０４）が、
入口（１１２）と少なくとも１つの出口を備えたハウジング（１０８）であって、前記入口（１１２）が、前記排泄物容器（１０２）の前記出口（１０６）と流体連通するように連結された、ハウジング（１０８）、及び
前記ハウジング（１０８）内に配置された搬送機構（１１０）であって、前記ハウジング（１０８）の前記入口（１１２）から前記少なくとも１つの出口に向けて、前記排泄物を能動的に搬送するように動作可能である、搬送機構（１１０）を備える、トイレシステム（１００）が提供される。
Ａ２
有利なことに、条項Ａ１に記載のシステム（１００）は、前記排泄物容器（１０２）の前記出口（１０６）と前記ハウジング（１０８）の前記入口（１１２）が、上下に整列するように配置されている。
Ａ３
好ましくは、条項Ａ１又はＡ２に記載のシステム（１００）は、前記少なくとも１つの出口が、固体の排泄物の出口（１２８）と液体の排泄物の出口（１３０）を備え、前記固体の排泄物の出口（１２８）が、前記搬送機構（１１０）によって搬送された固体の排泄物を受容するように配置され、前記液体の排泄物の出口（１３０）が、前記固体の排泄物から分離された液体の排泄物を受容するように配置されている。
Ａ４
有利なことに、条項Ａ３に記載のシステム（１００）は、
前記固体の排泄物の出口（１２８）と流体連通するように連結された固体の貯蔵容器（１２４）、及び
前記液体の排泄物の出口（１３０）と流体連通するように連結された液体の貯蔵容器（１２６）を更に備える。
Ａ５
好ましくは、条項Ａ１からＡ４のいずれか一項に記載のシステム（１００）は、前記排泄物容器（１０２）と流体連通するように連結された吸引装置（１３６）であって、平方インチ当たり約５ポンド未満の負圧を前記排泄物容器（１０２）内に生成するように構成された、吸引装置（１３６）を更に備える。
Ａ６
好ましくは、条項Ａ１からＡ５のいずれか一項に記載のシステム（１００）は、前記搬送機構（１１０）が、
ウォームスクリュー装置（１１６）、及び
前記ウォームスクリュー装置（１１６）に連結されたモータ（１１８）であって、前記排泄物が前記ハウジング（１０８）の前記少なくとも１つの出口に向けて漸進的に搬送されるように、前記ウォームスクリュー装置（１１６）を回転させるように構成された、モータ（１１８）を備える。
Ａ７
有利なことに、条項Ａ６に記載のシステム（１００）は、前記モータ（１１８）と通信するように接続されたユーザインターフェース（２６）であって、前記モータ（１１８）が、前記ユーザインターフェース（２６）における作動により選択的に起動される、ユーザインターフェース（２６）を更に備える。
Ｂ８
本開示の更なる態様によれば、
航空機（１０）であって、
トイレシステム（１００）を備え、前記トイレシステム（１００）が、
出口（１０６）を通して排泄物を導くように構成された前記出口（１０６）を備えた排泄物容器（１０２）、並びに
コンベヤアセンブリ（１０４）を備え、前記コンベヤアセンブリ（１０４）が、
入口（１１２）と少なくとも１つの出口を備えたハウジング（１０８）であって、前記入口（１１２）が、前記排泄物容器（１０２）の前記出口（１０６）と流体連通するように連結された、ハウジング（１０８）、及び
前記ハウジング（１０８）内に配置された搬送機構（１１０）であって、前記ハウジング（１０８）の前記入口（１１２）から前記少なくとも１つの出口に向けて、前記排泄物を能動的に搬送するように動作可能である、搬送機構（１１０）を備える、航空機（１０）が提供される。
Ｂ９
有利なことに、条項Ｂ８に記載の航空機（１０）は、前記排泄物容器（１０２）の前記出口（１０６）と前記ハウジング（１０８）の前記入口（１１２）が、前記航空機（１０）が直線的且つ水平に動作しているときに、上下に整列するように配置されている。
Ｂ１０
好ましくは、条項Ｂ８又はＢ９に記載の航空機（１０）は、前記少なくとも１つの出口が、固体の排泄物の出口（１２８）と液体の排泄物の出口（１３０）を備え、前記固体の排泄物の出口（１２８）が、前記搬送機構（１１０）によって搬送された固体の排泄物を受容するように配置され、前記液体の排泄物の出口（１３０）が、前記固体の排泄物から分離された液体の排泄物を受容するように配置されている。
Ｂ１１
有利なことに、条項Ｂ１０に記載の航空機（１０）は、
前記固体の排泄物の出口（１２８）と流体連通するように連結された固体の貯蔵容器（１２４）、及び
前記液体の排泄物の出口（１３０）と流体連通するように連結された液体の貯蔵容器（１２６）を更に備える。
Ｂ１２
好ましくは、条項Ｂ８からＢ１１のいずれか一項に記載の航空機（１０）は、前記排泄物容器（１０２）の前記出口（１０６）が、前記航空機（１０）の外側の周囲環境と選択的に流体連通するように連結されていない。
Ｂ１３
好ましくは、条項Ｂ８からＢ１２のいずれか一項に記載の航空機（１０）は、前記排泄物容器（１０２）と流体連通するように連結された吸引装置（１３６）であって、平方インチ当たり約５ポンド未満の負圧を前記排泄物容器（１０２）内に生成するように構成された、吸引装置（１３６）を更に備える。
Ｂ１４
好ましくは、条項Ｂ８からＢ１３のいずれか一項に記載の航空機（１０）は、前記搬送機構（１１０）が、
ウォームスクリュー装置（１１６）、及び
前記ウォームスクリュー装置（１１６）に連結されたモータ（１１８）であって、前記排泄物が前記ハウジング（１０８）の前記少なくとも１つの出口に向けて漸進的に搬送されるように、前記ウォームスクリュー装置（１１６）を回転させるように構成された、モータ（１１８）を備える。
Ｂ１５
有利なことに、条項Ｂ１４に記載の航空機（１０）は、前記モータ（１１８）と通信するように接続されたユーザインターフェース（２６）であって、前記モータ（１１８）が、前記ユーザインターフェース（２６）における作動により選択的に起動される、ユーザインターフェース（２６）を更に備える。
Ｃ１６
本開示のまた更なる一態様によれば、航空機（１０）内で使用されるためのトイレシステム１００を組み立てる方法であって、
ハウジング（１０８）の入口（１１２）を、排泄物容器（１０２）の出口（１０６）であって、前記出口（１０６）を通して排泄物を導くように構成された、出口（１０６）と流体連通するように連結させること、及び
搬送機構（１１０）であって、前記ハウジング（１０８）の前記入口（１１２）から少なくとも１つの出口に向けて前記排泄物を能動的に搬送するように動作可能な、搬送機構（１１０）を、前記ハウジング（１０８）内に配置することを含む、方法が提供される。
Ｃ１７
有利なことに、条項Ｃ１６に記載の方法は、前記排泄物容器（１０２）の前記出口（１０６）と前記ハウジング（１０８）の前記入口（１１２）が、前記航空機（１０）が直線的且つ水平に動作しているときに、上下に整列するように配置されるように、前記ハウジング（１０８）と前記排泄物容器（１０２）を方向付けることを更に含む。
Ｃ１８
好ましくは、条項Ｃ１６又はＣ１７に記載の方法は、固体の排泄物の出口（１２８）が、前記搬送機構（１１０）によって搬送された固体の排泄物を受容するように配置されるように、且つ、液体の排泄物の出口（１３０）が、前記固体の排泄物から分離された液体の排泄物を受容するように配置されるように、前記固体の排泄物の出口（１２８）と液体の排泄物の出口（１３０）を、前記ハウジング（１０８）内に形成することを更に含む。
Ｃ１９
有利なことに、条項Ｃ１８に記載の方法は、
固体の貯蔵容器（１２４）を前記固体の排泄物の出口（１２８）と流体連通するように連結させること、及び
液体の貯蔵容器（１２６）を前記液体の排泄物の出口（１３０）と流体連通するように連結させることを更に含む。
Ｃ２０
好ましくは、条項Ｃ１６からＣ１９のいずれか一項に記載の方法は、前記搬送機構（１１０）を配置することが、
ウォームスクリュー装置（１１６）を前記ハウジング（１０８）内に配置すること、及び
前記ウォームスクリュー装置（１１６）に連結されたモータ（１１８）であって、前記排泄物が前記ハウジング（１０８）の前記少なくとも１つの出口に向けて漸進的に搬送されるように、前記ウォームスクリュー装置（１１６）を回転させるように構成された、モータ（１１８）を、前記ウォームスクリュー装置（１１６）に連結させることを含む。
【００２１】
この明細書は、実施例を使用して、ベストモードを含む様々な実行形態を開示し、且つ、如何なる当業者にも、任意のデバイス又はシステムを作成及び使用すること、並びに、組み合わされた任意の複数の方法を実行することを含む、様々な実行形態の実践を可能にしている。本開示の特許性の範囲は、特許請求の範囲によって規定され、当業者に想起される他の例も含み得る。かかる他の例は、それらが特許請求の範囲の文言と相違しない構造要素を有する場合、又は、それらが特許請求の範囲の文言とほとんど違わない同等な構造要素を含む場合には、特許請求の範囲に含まれることが意図されている。
【図１】
2017213349.tif 000003
【図２】
2017213349.tif 000004
【図３】
2017213349.tif 000005
【外国語明細書】
2017213349000001.pdf
2017213349000002.pdf
2017213349000003.pdf
2017213349000004.pdf